(57)【要約】【課題】ランチョンマット及び手提げ袋の二重の機能を有するエコバッグを提供する。【解決手段】エコバッグは、ランチョンマット１及び少なくとも１つの手提げ紐２を備える。ランチョンマット１は、防水機能を有するマットであり、対向配置された２つの第１の端辺１１と、対向配置された２つの第２の端辺１２とを有するとともに、内側中央に、弁当箱を置く設置領域１３が設けられ、第１の端辺１１から設置領域１３に向かって、設置領域１３に隣接した２つの折り線１４が形成される。折り線１４の末端には、第２の端辺１２に接続された斜め折り線１５が形成され、折り線１４と斜め折り線１５との間には内折り領域１６が形成される。互いに隣り合う２つの斜め折り線１５間には、側周領域１７が設けられる。互いに隣り合う２つの折り線１４間には、手提げ袋領域１８が形成される。【選択図】図１
0003225932.tif 000002
【実用新案登録請求の範囲】
【請求項１】
ランチョンマット及び少なくとも１つの手提げ紐を備えた、エコバッグであって、
前記ランチョンマットは、防水機能を有するマットであり、対向配置された２つの第１の端辺と、対向配置された２つの第２の端辺と、を有するとともに、内側中央に、弁当箱を置く設置領域が設けられ、前記第１の端辺から前記設置領域に向かって、前記設置領域に隣接した２つの折り線が形成され、前記折り線の末端には、前記第２の端辺に接続された斜め折り線が形成され、前記折り線と前記斜め折り線との間には内折り領域が形成され、互いに隣り合う２つの前記斜め折り線間には、側周領域が設けられ、互いに隣り合う２つの前記折り線間には、手提げ袋領域が形成され、
前記手提げ紐は、前記ランチョンマットに挿通されて２つの前記側周領域上にそれぞれ位置決めされて２つの固定点が形成され、前記固定点間の前記手提げ紐が前記手提げ袋領域に挿通され、前記手提げ紐が前記固定点の他端に向かって引っ張られると、前記側周領域及び前記手提げ袋領域が起立し、前記内折り領域が内方へ折り畳まれ、前記手提げ袋領域の内側に摺り合わされ、前記側周領域により弁当箱を囲んで覆い、前記ランチョンマットにより弁当箱が内側に包み込まれることを特徴とする、
エコバッグ。
【請求項２】
前記ランチョンマットの前記内折り領域は、第１の穿孔をそれぞれ有し、前記手提げ袋領域の両側には、前記内折り領域の前記第１の穿孔に対応した箇所に第２の穿孔が形成され、前記手提げ紐の一端が前記ランチョンマットの外側面の前記側周領域に固定されて１つ目の固定点が形成され、前記手提げ紐が前記側周領域の外側面から隣り合う前記内折り領域の前記第１の穿孔に向かって内側に挿入され、内側から前記手提げ袋領域の前記第２の穿孔に向かって外側に挿出された後、もう一つの前記第２の穿孔から内側に挿入され、もう一つの内折り領域の第１の穿孔から挿出され、もう一つの側周領域に位置し、前記側周領域上に位置する前記手提げ紐が固定され、２つ目の固定点が形成されることを特徴とする請求項１に記載のエコバッグ。
【請求項３】
前記ランチョンマットの２つの前記側周領域上には、固定孔がそれぞれ形成され、前記手提げ袋領域の両側には、第３の穿孔がそれぞれ形成され、前記手提げ紐の一端が前記ランチョンマットの内側面の前記側周領域上の前記固定孔に固定されて１つ目の固定点が形成され、前記手提げ紐が前記側周領域の外側面から隣り合う前記内折り領域に掛け渡され、前記手提げ袋領域の前記第３の穿孔から内側へ挿入された後、もう一つの第３の穿孔から外側に挿出され、隣り合う内折り領域に掛け渡されてから、もう一つの側周領域の固定孔に挿入されて位置決めされて２つ目の固定点が形成されることを特徴とする請求項１に記載のエコバッグ。
【請求項４】
前記ランチョンマットの内側には、内被覆層が形成され、前記内被覆層は、前記手提げ紐を覆って隠すことを特徴とする請求項２に記載のエコバッグ。
【請求項５】
前記ランチョンマットの対向配置された２つの前記手提げ袋領域の内側には、互いに係合し合う係合部材が設けられることを特徴とする請求項１〜３の何れか１項に記載のエコバッグ。
【考案の詳細な説明】
【技術分野】
【０００１】
本考案は、エコバッグに関し、特に、ランチョンマット及び手提げ袋の二重の機能を有するエコバッグに関する。
【背景技術】
【０００２】
忙しい現代社会において、食品の出前及び持ち帰りの購入方式は、すでに購入方式の主な流れとなっている。毎日の食事で使用される食品容器又は飲み物用カップは、手提げ袋に入れる必要があったため、プラスチックバッグの使用量が増え、環境を汚染する問題が発生し、地球温暖化の一因にもなっている。そのため、我が国の政府は箸・スプーンなどの飲食用具を携行し、食事時に使うことを国民に強く勧めている。
【０００３】
また一般学童、サラリーマン、ピクニックに出かける者などは、自ら飲食用具を携行する以外に、容易に携帯できるように飲食用具を入れる袋も必要であった。もし外食、事務用机又は学習机の上で食事する場合、水分、油などにより資料、本などが汚れないように、机上面を清潔な状態に保つ必要があった。そのため、机上面上に紙、ナプキンなどを敷いていたが、油を吸った紙は、直ちに廃棄されるため、環境保護の概念と相容れなかった。
【考案の概要】
【考案が解決しようとする課題】
【０００４】
本考案の目的は、ランチョンマット及び手提げ袋の二重の機能を有するエコバッグを提供することにある。
【課題を解決するための手段】
【０００５】
上記課題を解決するために、本考案の第１の形態によれば、ランチョンマット及び少なくとも１つの手提げ紐を備えた、エコバッグであって、前記ランチョンマットは、防水機能を有するマットであり、対向配置された２つの第１の端辺と、対向配置された２つの第２の端辺と、を有するとともに、内側中央に、弁当箱を置く設置領域が設けられ、前記第１の端辺から前記設置領域に向かって、前記設置領域に隣接した２つの折り線が形成され、前記折り線の末端には、前記第２の端辺に接続された斜め折り線が形成され、前記折り線と前記斜め折り線との間には内折り領域が形成され、互いに隣り合う２つの前記斜め折り線間には、側周領域が設けられ、互いに隣り合う２つの前記折り線間には、手提げ袋領域が形成され、前記手提げ紐は、前記ランチョンマットに挿通されて２つの前記側周領域上にそれぞれ位置決めされて２つの固定点が形成され、前記固定点間の前記手提げ紐が前記手提げ袋領域に挿通され、前記手提げ紐が前記固定点の他端に向かって引っ張られると、前記側周領域及び前記手提げ袋領域が起立し、前記内折り領域が内方へ折り畳まれ、前記手提げ袋領域の内側に摺り合わされ、前記側周領域により弁当箱を囲んで覆い、前記ランチョンマットにより弁当箱が内側に包み込まれることを特徴とする、エコバッグを提供する。
【考案の効果】
【０００６】
本考案のエコバッグは、側周領域により手提げ紐を位置決めし、手提げ紐を内折り領域及び手提げ袋領域に挿通させて引っ張り、内折り領域を手提げ袋領域の内側に摺り合わせ、側周領域により弁当箱の一側を覆うことで、ランチョンマットで覆われて弁当箱が完全に内側に包み込まれ、ランチョンマット及び手提げ袋の二重の機能を有する。
【図面の簡単な説明】
【０００７】
【図１】本考案の第１実施形態に係るエコバッグを示す分解斜視図である。
【図２】本考案の第１実施形態に係るエコバッグをランチョンマットとして用いるときの内側面を示す平面図である。
【図３】本考案の第１実施形態に係るエコバッグをランチョンマットとして用いるときの外側面を示す平面図である。
【図４】本考案の第１実施形態に係るランチョンマットで弁当箱を包んだ状態を示す斜視図である。
【図５】本考案の第２実施形態に係るエコバッグを示す分解斜視図である。
【図６】本考案の他の実施形態に係るエコバッグの使用状態の説明図である。
【考案を実施するための形態】
【０００８】
（第１実施形態）
図１〜図４を参照する。図１〜図４に示すように、本考案の一実施形態に係るエコバッグは、少なくともランチョンマット１及び少なくとも１つの手提げ紐２から構成されてなる。
【０００９】
ランチョンマット１は、防水機能を有するマットである。ランチョンマット１は、対向配置された２つの第１の端辺１１と、対向配置された２つの第２の端辺１２と、を有するとともに、内側中央に、弁当箱３を置く設置領域１３が設けられ、第１の端辺１１から上述した設置領域１３に向かって、上述した設置領域１３に隣接した２つの折り線１４が形成されている。上述した折り線１４の末端には、第２の端辺１２に接続された斜め折り線１５が形成され、上述した折り線１４と上述した斜め折り線１５との間には内折り領域１６が形成される。互いに隣り合う２つの斜め折り線１５間には、側周領域１７が設けられる。互いに隣り合う２つの折り線１４間には、手提げ袋領域１８が形成される。
【００１０】
少なくとも１つの手提げ紐２は、上述したランチョンマット１に挿通されて上述した２つの側周領域１７上にそれぞれ位置決めされて２つの固定点Ａが形成され、２つの固定点Ａ間の上述した手提げ紐２が上述した手提げ袋領域１８に挿通される。上述した手提げ紐２が固定点の他端に向かって引っ張られると、上述した側周領域１７及び上述した手提げ袋領域１８が起立し、上述した内折り領域１６が内方へ折り畳まれ、上述した手提げ袋領域１８の内側に摺り合わされ、上述した側周領域１７により弁当箱３を囲んで覆い、上述したランチョンマット１により弁当箱３が内側に包み込まれる。
【００１１】
本考案のエコバッグは、外観形状及び手提げ紐２の挿通方式が複数ある。それらについて以下に詳しく説明する。
【００１２】
本実施形態のエコバッグのランチョンマット１は、防水性能を有するプラスチックマット、帆布、ナイロン布などからなる。上述したランチョンマット１を平らに置くマットの形状は如何なるものでもよく、例えば、小アールの矩形マット（図１に示す）、大アールの矩形マット（図５に示す）又は楕円形マットでもよい。手提げ紐２は、例えば、円形状縄又は扁形状縄でもよく、プラスチック、ナイロン、麻、綿などの材料からなってもよい。また手提げ紐２は、１本又は２本の手提げ紐でもよい。
【００１３】
[実施例１]
図１〜図４に示すように、１本の手提げ紐２を採用する場合、上述したランチョンマット１の各内折り領域１６は、第１の穿孔１６１をそれぞれ有し、上述した手提げ袋領域１８の両側には、上述した内折り領域１６の第１の穿孔１６１に対応した箇所に第２の穿孔１８１が形成され、上述した手提げ紐２の一端が上述したランチョンマット１の外側面の側周領域１７に固定されて１つ目の固定点Ａが形成される。
上述した手提げ紐２が側周領域１７の外側面から隣り合う内折り領域１６の第１の穿孔１６１に向かって内側に挿入され、内側から上述した手提げ袋領域１８の第２の穿孔１８１に向かって外側に挿出された後、もう一つの第２の穿孔１８１から内側に挿入され、もう一つの内折り領域１６の第１の穿孔１６１から挿出され、もう一つの側周領域１７に位置する。この側周領域１７上に位置する手提げ紐２が固定（例えば縫着する）され、２つ目の固定点Ａが形成された後、上述した手提げ紐２が上述した方式により、一側面のランチョンマット１に挿通され、上述した手提げ紐２の他端が１つ目の固定点Ａに戻って一緒に固定される。
【００１４】
上述したランチョンマット１を平らに置いて使用する場合、机上面から隔離するマットとして使用されるため、ランチョンマット１上で食事をする際、水分、油などで机上面が汚れることを防ぐことができる。
食事が終わった後、上述した弁当箱３が上述したランチョンマット１の設置領域１３に置かれてから、上述した手提げ紐２が固定点Ａ外に向かって引っ張られると、上述した手提げ紐２により第１の穿孔１６１及び第２の穿孔１８１を介して上述した側周領域１７及び上述した手提げ袋領域１８が起立し、上述した内折り領域１６が折り線１４及び斜め折り線１５を介して内方に折り畳まれ、上述した手提げ袋領域１８の内側に摺り合わされ、上述した側周領域１７により弁当箱３を囲んで覆い、上述したランチョンマット１により弁当箱３が内側に包み込まれる。上述したランチョンマット１の対向配置された２つの手提げ袋領域１８の内側には、係合部材１９が設けられ、上述したランチョンマット１により弁当箱３を覆った後、上述した係合部材１９により係合して位置決めする。
【００１５】
（第２実施形態）
[実施例２]
図５に示すように、２本の手提げ紐２を採用する場合、上述したランチョンマット１の２つの側周領域１７上には、固定孔１７１がそれぞれ形成される（固定点Ａと見なす）。上述した手提げ袋領域１８の両側には、第３の穿孔１８２がそれぞれ形成される。手提げ紐２の一端が上述したランチョンマット１の内側面の側周領域１７上の固定孔１７１に固定されて１つ目の固定点Ａが形成され、手提げ紐２が側周領域１７の外側面から隣り合う内折り領域１６に掛け渡され、上述した手提げ袋領域１８の第３の穿孔１８２から内側へ挿入された後、もう一つの第３の穿孔１８２から外側へ挿出され、隣り合う内折り領域１６に掛け渡されてから、もう一つの側周領域１７の固定孔１７１に挿入されて位置決めされて（例えば、紐で結ぶ）２つ目の固定点Ａが形成される。上述したように、上述したランチョンマット１の一側面に手提げ紐２が挿通され、もう一つの手提げ紐２が、上述した方式と同様に、上述したランチョンマット１のもう一つの側面に挿通される。
【００１６】
上述したランチョンマット１を平らに使用する場合、実施例１と同様に、机上面から隔離するマットとして使用し、上述したランチョンマット１上で使用する飲食用具が、水分、油などで机上面を汚すことを防ぐことができる。
弁当箱３を収容する場合、食事が終わった後、上述した弁当箱３が上述したランチョンマット１の設置領域１３に置かれてから、２つの手提げ紐２が固定点の外側に向かって引っ張られると、２本の手提げ紐２により固定孔１７１及び第３の穿孔１８２を介して上述した側周領域１７及び上述した手提げ袋領域１８が起立し、上述した内折り領域１６が折り線１４及び斜め折り線１５を介して内方に折り畳まれ、上述した手提げ袋領域１８の内側に摺り合わされ、上述した側周領域１７により弁当箱３を囲んで覆い、上述したランチョンマット１により弁当箱３が内側に包み込まれる。上述したランチョンマット１の対向配置された２つの手提げ袋領域１８の内側には、係合部材１９が設けられ、上述したランチョンマット１により弁当箱３を覆った後、上述した係合部材１９により係合して位置決めする。
【００１７】
図６を参照する。図６に示すように、上述したランチョンマット１の内側には、内被覆層４が形成される。上述した内被覆層４は、上述した手提げ紐２を覆って隠す。上述した内被覆層４には、綿生地の布又は防水布が採用されてもよい。
【００１８】
図４を参照する。図４に示すように、上述した実施例では、上述したランチョンマット１の固定点Ａが縫着又は任意の固定方式により外観上の美観に影響を与える場合、その箇所を遮蔽飾片５で外側から覆ってもよい。上述した遮蔽飾片５は、遮蔽に用いるかトレードマークを表示してもよい。
【符号の説明】
【００１９】
１  ランチョンマット
２  手提げ紐
３  弁当箱
４  内被覆層
５  遮蔽飾片
１１  第１の端辺
１２  第２の端辺
１３  設置領域
１４  折り線
１５  斜め折り線
１６  内折り領域
１７  側周領域
１８  手提げ袋領域
１９  係合部材
１６１  第１の穿孔
１７１  固定孔
１８１  第２の穿孔
１８２  第３の穿孔
Ａ  固定点
【図１】
0003225932.tif 000003
【図２】
0003225932.tif 000004
【図３】
0003225932.tif 000005
【図４】
0003225932.tif 000006
【図５】
0003225932.tif 000007
【図６】
0003225932.tif 000008